(57)【要約】【課題】従来、ブラケットに固定された受け梁上に架台を載置して固定する構造によると、架台の天端までの高さが極めて高くなり、階高以内に納まらない場合が生じている。また、その高さが高いためクレーン架台に生じる横力に対して受け梁側にねじりモーメントが発生し、そのための補強対策が強いられているが、本発明はこの様な問題点を解決するものである。【解決手段】本発明は、上記課題を解決したもので、タワークレーンの架台を支持する基礎受け梁構造において、受け梁のウェブに設けた開口部に該架台のアウトリガーを貫通させて該受け梁に架台を固定してなるタワークレーンの基礎受け梁構造を特徴とする。【選択図】図３
2006347721.tif 000002
【特許請求の範囲】
【請求項１】
タワークレーンの架台を支持する基礎受け梁構造において、受け梁のウェブに設けた開口部に該架台のアウトリガーを貫通させて該受け梁に架台を固定してなることを特徴とするタワークレーンの基礎受け梁構造。
【請求項２】
受け梁の下側フランジの内側に固定した受け台上にウェブを貫通突出したアウトリガーを載置し、該アウトリガーの上方側に支持部材を位置させ、該受け台と支持部材間にボルトを掛け渡し、該ボルトを締め付けることにより受け梁に架台を固定してなることを特徴とする請求項１に記載のタワークレーンの基礎受け梁構造。
【請求項３】
受け梁の上下側フランジの各々の内側に固定した受け台間に、ウェブを貫通突出したアウトリガーを間挿し、下側受け台上にアウトリガーを載置し、上側受け台とアウトリガー間に生じた隙間にクサビを打ち込むことにより受け梁に架台を固定してなることを特徴とする請求項１に記載のタワークレーンの基礎受け梁構造。
【請求項４】
受け梁の上下側フランジの各々の内側に固定した受け台間に、ウェブを貫通突出したアウトリガーを間挿し、下側受け台上にアウトリガーを載置し、上側受け台の下面板に押し付けボルト貫通させ、該押し付けボルトを締め付けることにより該アウトリガーの上面を押し付けて受け梁に架台を固定してなることを特徴とする請求項１に記載のタワークレーンの基礎受け梁構造。
【請求項５】
受け梁の上下側フランジの各々の内側に固定した受け台間に、ウェブを貫通突出したアウトリガーを間挿し、下側受け台上にアウトリガーを載置し、上側受け台とアウトリガー間に生じた隙間にフラットジャッキを配置し、該フラットジャッキの上昇によりアウトリガーの上面を押し付けて受け梁に架台を固定してなることを特徴とする請求項１に記載のタワークレーンの基礎受け梁構造。
【請求項６】
下側受け台の上面板にはアウトリガーの幅に相当する位置の左右にコッターを設けてなることを特徴とする請求項１〜５の何れか１記載のタワークレーンの基礎受け梁構造。
【請求項７】
受け梁は建物の躯体となる垂直部材表面又はおおよその垂直部材表面にＰＣ鋼棒によりブラケットを固定し、該ブラケッットに受け梁の両端部を支持させる構造としてなることを特徴とする請求項１〜６の何れか１記載のタワークレーンの基礎受け梁構造。
【発明の詳細な説明】
【技術分野】
【０００１】
本発明は、昇降機能付タワークレーンの架台を、建物の躯体を利用して支持するタワークレーンの基礎受け梁構造に関するものである。
【背景技術】
【０００２】
従来の昇降機能付クライミングタワークレーン（以下タワークレーンという）において、そのマスト部を支持する架台は建物の躯体を利用して支持しているが、支持手段は架台を梁部材に載置して支持している。クレーン架台が載る梁は、重量がかさむため梁高の自体を予め強固に設計する対策が採用されている。
【特許文献１】特願２００４−９０７５１号
【特許文献２】特開平６−１５６９８２号公報
【特許文献３】特許第２９４２０５４号
【特許文献４】特開平１１−３０１９７３号公報
【０００３】
上記特許文献１のように、受け梁上に架台を載置して固定する構造によると、架台の天端までの高さが極めて高くなり、階高以内に納まらない場合が生じている。また、その高さが高いためクレーン架台に生じる横力に対して受け梁側にねじりモーメントが発生し、そのための補強対策が強いられていた。
【０００４】
また、図５に、一般的なタワークレーンの基礎受け梁構造を示しているが、それらは仮設受け梁Ａ上に、架台Ｂの左右から伸びるアウトリガーＣの突出部を載置し、下側フランジＤとアウトリガーＣとを下側支持部材Ｅと上側支持部材Ｆ間をボルトＧを掛け渡して締め付けることにより該アウトリガーＣを固定している。
【０００５】
従って、架台Ｂを支持するために必要とする高さＨは、図６に示すように、仮設受け梁Ａの高さＨ０、アウトリガーＣの高さＨ１、支持部材Ｅ、Ｆの高さＨ２及びボルトＧの突出部先端或いは架台の天端までの高さＨ３の総和となり、極めて高さの高いものとなっていた。
【０００６】
また、図７は、本設梁Ｉ上にアウトリガーＪの突出部を載置したものであるが、本設梁Ｉは大重量を受けるには十分な強度がないので、架台Ｋにかかる重量を支持するために、該本設梁Ｉの下部に補強梁Ｌを配設している。
上記従来例も架台Ｋを支持するために必要とする高さは極めて高くなり、階高を上回ることも生じていた。
【０００７】
また、昨今の超高層ＲＣ建築物では、柱及び梁部材は施工期間を短縮させるため予め工場で製造するＰＣａ化され、且つ強固な壁やコア壁を設けたものは梁の断面の大きさは小さくされ、スレンダー化されている。従って、建物の全体構造としては何等問題はないが、小さな梁に重量のあるクレーンの架台をそのまま支持させることは不可能な構造となっている。
【０００８】
上記特許文献２は、柱に顎を取り付け、該顎で架台を支持しながら尺取虫のようにタワークレーンを順次上方へ上げていく施工方法である。
また、特許文献３は、柱にブラケットを仮設し、該ブラケット上に走行クレーンのレールを敷設し、該走行クレーンの荷重を柱で受ける支持手段が開示されている。
更に、特許文献４は、壁に埋設された鉄骨柱に顎を取り付け、該顎の上に架台を設置している。この支持手段も上記同様、尺取虫のように少しずつクレーンを上昇させていくものである。
【発明の開示】
【発明が解決しようとする課題】
【０００９】
上記のように、架台を支持するために必要とする高さは極めて高いものとなっており、また、ＲＣ造においては、梁が強度的に弱く構築されることが多く、タワークレーンを設置するためには該タワークレーンの基盤を大きくして荷重を分散し、集中荷重を小さくする工夫をしたり、該梁の補強をしていた。
また、Ｓ造においても、上記同様に架台を支持する構造は背の高いものとなっており、梁が強度的に弱い場合、相当な補強を必要とする。更に、その補強部分は、後に撤去する場合が多く、余分な部材の調達と無駄な施工を余儀なくされていた。
【課題を解決するための手段】
【００１０】
本発明は、上記課題を解決したもので、タワークレーンの架台を支持する基礎受け梁構造において、受け梁のウェブに設けた開口部に該架台のアウトリガーを貫通させて該受け梁に架台を固定してなるタワークレーンの基礎受け梁構造を特徴とする。
【００１１】
また、受け梁の下側フランジの内側に固定した受け台上にウェブを貫通突出したアウトリガーを載置し、該アウトリガーの上方側に支持部材を位置させ、該受け台と支持部材間にボルトを掛け渡し、該ボルトを締め付けることにより受け梁に架台を固定してなるタワークレーンの基礎受け梁構造を特徴とする。
【００１２】
更に、受け梁の上下側フランジの各々の内側に固定した受け台間に、ウェブを貫通突出したアウトリガーを間挿し、下側受け台上にアウトリガーを載置し、上側受け台とアウトリガー間に生じた隙間にクサビを打ち込むことにより受け梁に架台を固定してなるタワークレーンの基礎受け梁構造を特徴とする。
【００１３】
また、受け梁の上下側フランジの各々の内側に固定した受け台間に、ウェブを貫通突出したアウトリガーを間挿し、下側受け台上にアウトリガーを載置し、上側受け台の下面板に押し付けボルト貫通させ、該押し付けボルトを締め付けることにより該アウトリガーの上面を押し付けて受け梁に架台を固定してなるタワークレーンの基礎受け梁構造を特徴とする。
【００１４】
更に、受け梁の上下側フランジの各々の内側に固定した受け台間に、ウェブを貫通突出したアウトリガーを間挿し、下側受け台上にアウトリガーを載置し、上側受け台とアウトリガー間に生じた隙間にフラットジャッキを配置し、該フラットジャッキの上昇によりアウトリガーの上面を押し付けて受け梁に架台を固定してなるタワークレーンの基礎受け梁構造を特徴とする。
【００１５】
また、下側受け台の上面板にはアウトリガーの幅に相当する位置の左右にコッターを設けてなるタワークレーンの基礎受け梁構造を特徴とする。
【００１６】
更に、受け梁は建物の躯体となる垂直部材表面又はおおよその垂直部材表面にＰＣ鋼棒によりブラケットを固定し、該ブラケットに受け梁の両端部を支持させる構造としてなるタワークレーンの基礎受け梁構造を特徴とする。おおよその垂直部材とは、垂直方向から傾いた柱および壁部材を意味し、以下垂直部材には、おおよその垂直部材も含むものである。
【発明の効果】
【００１７】
本発明は、架台の左右より突出するアウトリガーを受け梁のウエブ部分に設けた開口部を貫通させることにより仮設受け梁又は本設梁の下端からアウトリガーの上端までの取付背を低くすることができ、全体として架台を支持するために必要とする高さを低く抑えることができ、従って、クレーン架台からの横力によって生じる梁側のねじりモーメントの発生を防止することが可能となった。
【００１８】
また、取付背を低く抑えることができるので、階高の中で十分に納めることができ、躯体内での設置自由度が大幅に増加した。
【００１９】
更に、受け台上のコッターを利用することによりアウトリガーを挿入する際のガイドの役割及び水平方向の動きを防止することが可能となった。
【００２０】
また、仮設受け梁の場合は本設梁と縁を切ることができるので、本設梁が変形を受け持つことがなく、水平力も負担しなくてもよい。特に、本設梁がＲＣの場合は健全性を確保することが容易となった。
【００２１】
更に、タワークレーンの架台を支持するブラケットを建物の躯体となる柱部材或いは耐力壁等の垂直部材に取り付けるので、タワークレーンの荷重を該垂直部材で支持することが可能となり、従来の梁支持のみにより生じる梁の補強が不要となった。また、大荷重の支持も可能となった。
【００２２】
また、荷重の支持が、ＰＣ鋼棒を利用した取付プレートと垂直部材との摩擦力で行うことができ、従来のボルトに集中荷重がかかり、該ボルト周辺のコンクリート面を破壊することがなく、この点からも大荷重を支持することが可能となった。
【００２３】
更に、摩擦力による支持に加え、ボルトのせん断力による支持も併用することが可能であり、荷重支持の分散を可能とし、この点からも大荷重の支持を可能とした。
【００２４】
また、梁と垂直部材とにより荷重支持する場合、梁端部直下の垂直部材にブラケットを取着することにより、タワークレーンの荷重を梁から垂直部材へ容易に伝えることが可能となった。
【発明を実施するための最良の形態】
【００２５】
図１は、本発明のタワークレーンを建物に設置したタワークレーンの基礎受け梁構造の正面図を示している。建物の躯体間に架設した仮設受け梁又は本設梁（以下、両者を含め受け梁という）により架台を受ける構造とし、該架台上にタワークレーンを固定することになる。
【実施例】
【００２６】
タワークレーン１は、垂直部材（本実施例では柱２とする）に固定したブラケット３にその受け梁４ａを支持する。該ブラケット３は、ＰＣ鋼棒５により柱２に取着される。該ＰＣ鋼棒５は、図２（ａ）、（ｂ）に示すようにブラケット３の取付板６の孔より柱２を貫通して反対側の取付板７へと突出させ、当該部分で固定具８により強固に固定する。
【００２７】
図２（ｃ）は、ブラケット３の取着を上記同様ＰＣ鋼棒５により行なっているが、ブラケット３が大きい場合、該ＰＣ鋼棒５は、柱２の対向する外側壁間に跨るようにしてブラケット３間或いはブラケット３と取付板間に架設して固定する。
上記の場合、ＰＣ鋼棒５を切断することなくブラケット３を撤去することが可能となる。
【００２８】
図２（ｄ）は、ブラケット３上に架台４を載置した状態を示す平面図、同（ｅ）は同側面図を示している。ブラケット３間に架け渡される受け梁４ａは、同様のものを適宜間隔を隔てて適数個配設する。該受け梁４ａは、そのウェブの一部に開口部を形成し、該開口部には、架台４の左右から伸びるアウトリガーの突出部を貫通させる。該アウトリガーを貫通させることにより、該アウトリガーの軸心と受け梁４ａの軸心を一致或いはほぼ一致させることができ、捻れ現象を防ぐことが可能となる。
【００２９】
上記垂直部材は柱の他にコアを形成するコア壁であってもよいし、他の耐力壁であってもよい。    
【００３０】
上記各種ブラケットにより受け梁４ａを支持することになるが、図３に示すように、受け梁４ａの開口部１３に架台４の両端部からアウトリガー１４を貫通突出させ、その先端部１４ａは、下側フランジ１５の内側に固定された受け台１６の上面板１７上には該アウトリガー１４の幅に相当する位置の左右にコッター１８を設け、該コッター１８間に該アウトリガー１４をスライドさせて載置し、該アウトリガー１４先端部１４ａの上方側に位置させた支持部材と該上面板１７間にボルト１９を掛け渡して強固に締め付ける。アウトリガー１４の先端部１４ａの側面に添うようにしてボルト１９を掛け渡すことにより、小さな幅内で該先端部１４ａを固定することができる。上記受け台１６は、受け梁４ａの反対側の下側フランジ１５にも設置される。また、該受け台１６の高さは、開口部１３の下辺位置よりやや高く、幅は開口部１３の幅より大きく形成する。また、上記コッター１８は、該アウトリガー１４を挿入する際のガイドの役割の他、アウトリガー１４の水平方向への動きを防止することができる。
【００３１】
アウトリガー先端部と受け台、支持部材、ボルト及びアウトリガー先端部と受け台との隙間等との関係は、図４（ａ）〜（ｄ）に示すように様々な対応が考えられる。
【００３２】
図４（ａ）は、図５に示す斜視図の断面図である。
図４（ｂ）は、下上側フランジ２０、２１の内側に各々受け台２２、２３を固定し、該受け台２２、２３間にアウトリガー先端部１４ｂを挿入させて受け台２２に載置して配置し、下側フランジ２０の受け台２２の上面板２４にはアウトリガーを挿入する際のガイドの役割と水平方向の動きを拘束するためのコッター２５を設け、上側フランジ２１の受け台２３の下面板２６と該アウトリガー先端部１４ｂとの隙間にはクサビ２７を打ち込んで該アウトリガー先端部１４ｂを固定している。
【００３３】
図４（ｃ）は、同じく下上側フランジ２８、２９の内側に受け台３０、３１を固定し、該受け台３０、３１間にアウトリガー先端部１４ｃを挿入させて受け台３０に載置して配置し、下側フランジ２８の受け台３０の上面板３２にはアウトリガーを挿入する際のガイドの役割と水平方向の動きを拘束するためのコッター３３を設け、上側フランジ２９の受け台３１の下面板３４に押し付けボルト３５を貫通させて設け、該押し付けボルト３５を回転させることによりアウトリガー先端部１４ｃの上面を強く押し付けてアウトリガー先端部１４ｃを固定している。
【００３４】
図４（ｄ）は、同じく下上側フランジ３６、３７の内側に受け台３８、３９を固定し、該受け台３８、３９間にアウトリガー先端部１４ｄを挿入させて受け台３８に載置して配置し、下側フランジ３６の受け台３８の上面板４０にはアウトリガーを挿入する際のガイドの役割と水平方向の動きを拘束するためのコッター４１を設け、上側フランジ３７の受け台３９の下面板４２と該アウトリガー先端部１４ｄとの隙間にはフラットジャッキ４３を間挿し、該フラットジャッキ４３を上昇させることによりその受板でアウトリガー先端部１４ｄの表面と受け台３９の下面板４２を押圧し、該アウトリガー先端部１４ｄが強固に固定されることになる。
【００３５】
なお、上記実施例では受け梁の支持構造を建物の躯体となる垂直部材表面にPC鋼棒によりブラケットを固定し、該ブラケットに受け梁の両端部を支持させる構造としたが、該受け梁はそれに限定されるものではなく、通常の躯体となる受け梁或いは該躯体を利用しての仮設受け梁を対象としているものである。
【図面の簡単な説明】
【００３６】
【図１】タワークレーンの基礎受け梁構造の全体を示す正面図である。
【図２（ａ）】タワークレーンの基礎受け梁構造のブラケット支持部の正面図である。
【図２（ｂ）】タワークレーンの基礎受け梁構造のブラケット支持部の側面図である。
【図２（ｃ）】タワークレーンの基礎受け梁構造のブラケット支持部の他の実施例の平断面図である。
【図２（ｄ）】タワークレーンの基礎受け梁構造の全体を示す平面図である。
【図２（ｅ）】タワークレーンの基礎受け梁構造の全体を示す正面図である。
【図３】本発明のタワークレーンの基礎受け梁構造のアウトリガーの支持構造を示す実施例の斜視図である。
【図４（ａ）】本発明のタワークレーンの基礎受け梁構造のアウトリガーの支持構造を示す実施例の側断面図である。
【図４（ｂ）】本発明のタワークレーンの基礎受け梁構造のアウトリガーの支持構造を示す他の実施例の側断面図である。
【図４（ｃ）】本発明のタワークレーンの基礎受け梁構造のアウトリガーの支持構造を示す他の実施例の側断面図である。
【図４（ｄ）】本発明のタワークレーンの基礎受け梁構造のアウトリガーの支持構造を示す他の実施例の側断面図である。
【図５】タワークレーンの基礎受け梁構造のアウトリガーの支持構造を示す従来例の斜視図である。
【図６】タワークレーンの基礎受け梁構造のアウトリガーの支持構造を示す従来例の側断面図である。
【図７】タワークレーンの基礎受け梁構造のアウトリガーの支持構造を示す他の従来例の側断面図である。
【符号の説明】
【００３７】
１                                              タワークレーン
２                                              柱
３                                              ブラケット
４                                              架台
４ａ                                            仮設受け梁
５                                              ＰＣ鋼棒
６、７                                          取付板
８                                              固定具
１２                                              ウエブ
１３                                              開口部
１４                                              アウトリガー
１４ａ、１４ｂ、１４ｃ、１４ｄ                    アウトリガー先端部
１５、２０、２８、３６                            下側フランジ
１６、２２、２３、３０、３１、３８、３９          受け台
１７、２４、３２、４０                            上面板
１８、２５、３３、４１                            コッター
１９                                              ボルト
２１、２９、３７                                  上側フランジ
２６、３４、４２                                  下面板
２７                                              クサビ
３５                                              押し付けボルト
４３                                              フラットジャッキー
【図１】
2006347721.tif 000003
【図２（ａ）】
2006347721.tif 000004
【図２（ｂ）】
2006347721.tif 000005
【図２（ｃ）】
2006347721.tif 000006
【図２（ｄ）】
2006347721.tif 000007
【図２（ｅ）】
2006347721.tif 000008
【図３】
2006347721.tif 000009
【図４（ａ）】
2006347721.tif 000010
【図４（ｂ）】
2006347721.tif 000011
【図４（ｃ）】
2006347721.tif 000012
【図４（ｄ）】
2006347721.tif 000013
【図５】
2006347721.tif 000014
【図６】
2006347721.tif 000015
【図７】
2006347721.tif 000016